(57)【特許請求の範囲】
【請求項１】
表面が導電性炭素被膜で被覆された粒状電極活物質を製造する方法であって：
前記炭素被膜を形成するための炭素源を、前記被覆の対象である粒状電極活物質が分散可能な所定の第１の溶媒に、溶解させることにより調製された炭素源供給材料を用意すること；
前記被覆の対象である粒状電極活物質を、前記第１の溶媒と相溶性があり且つ該粒状電極活物質が分散可能な溶媒であって前記炭素源に対して貧溶媒である第２の溶媒に、分散させることにより調製された電極活物質供給材料を用意すること；
前記用意した炭素源供給材料と電極活物質供給材料とを混合した混合材料を調製すること；および
前記混合後に得られた前記電極活物質と前記炭素源との混合物を焼成することによって、該炭素源由来の導電性炭素被膜を該電極活物質の表面に形成すること；
を包含する、製造方法。
【請求項２】
前記電極活物質は、一般式：ＳｉＯｘ（式中のｘは０＜ｘ＜２を満足する実数）で示されるケイ素酸化物を主体に構成されている、請求項１に記載の製造方法。
【請求項３】
前記炭素源は水溶性化合物であり、前記第１の溶媒は水性溶媒であり、前記第２の溶媒は水と相溶性のある非水溶媒である、請求項１又は２に記載の製造方法。
【請求項４】
前記焼成の前に、前記混合材料を還流処理すること、
をさらに包含する、請求項１〜３のいずれかに記載の製造方法。
【請求項５】
前記第２の溶媒とは異なる溶媒であって前記粒状電極活物質が分散可能で且つ前記炭素源に対して貧溶媒である第３の溶媒に、前記焼成前の混合材料を添加すること、をさらに包含し、
該第３の溶媒に添加した後の前記電極活物質と前記炭素源との混合物を焼成する、請求項１〜４のいずれかに記載の製造方法。
【請求項６】
１質量部の前記粒状電極活物質に対して１〜５質量部の炭素源が混合されるように、前記炭素源供給材料と電極活物質供給材料とを混合して前記混合材料を調製する、請求項１〜５のいずれかに記載の製造方法。
【請求項７】
請求項１〜６のいずれかに記載の製造方法により製造された電極活物質。
【請求項８】
請求項７に記載の電極活物質を正極又は負極に備えるリチウム二次電池。
【請求項９】
請求項８に記載のリチウム二次電池を備える、車両。
【発明の詳細な説明】
【技術分野】
【０００１】
本発明は、リチウム二次電池その他の電池に用いられる電極活物質の製造方法に関する。また、該方法によって製造された電極活物質とその利用に関する。
【背景技術】
【０００２】
近年、リチウム二次電池（典型的にはリチウムイオン電池）、ニッケル水素電池等の二次電池は、車両搭載用電源、或いはパソコンおよび携帯端末の電源として重要性が高まっている。特に、軽量で高エネルギー密度が得られるリチウム二次電池は、車両搭載用高出力電源として好ましく用いられるものとして期待されている。
車両搭載用高出力電源として利用される二次電池に求められる特性の一つとして電池容量の向上がある。かかる要求に応えるべく、従来使用されているものよりも高容量化を実現できる物質を電極活物質として利用することが検討されている。例えば、リチウム二次電池に関しては、Ｓｉ、Ｇｅ、Ｓｎ、Ｐｂ、Ａｌ、Ｇａ、Ｉｎ、Ａｓ、Ｓｂ、Ｂｉ等を構成金属元素（半金属元素を包含する。以下同じ。）とする金属化合物（典型的には金属酸化物）材料がリチウムイオンを可逆的に吸蔵及び放出する電極活物質（具体的には負極活物質）として使用することが可能であり、しかも負極活物質として従来用いられている黒鉛材料よりも高容量であることが知られている。従って、これら金属化合物（典型的には金属酸化物）を電極活物質として利用することによってリチウム二次電池の高容量化が実現されることが期待されている。【０００３】
ところで、上述したような元素を構成要素とする金属化合物材料（例えばケイ素酸化物（ＳｉＯｘ）のような金属酸化物材料）は、一般に導電性が低い。従って、当該金属酸化物を電極活物質として使用する場合には、当該金属酸化物から成る電極活物質粒子の表面に導電性被膜、具体的には導電性炭素から成る被膜を形成し、電極活物質粒子間ならびに電極活物質粒子と電解液や電極集電体との間にリチウムイオンや電子が移動し得る導電経路（パス）を確保する必要がある。
このような電極活物質に関する従来技術の例として以下の特許文献１〜３が挙げられる。特許文献１には、Ｓｉと、ＳｉＯ及びＳｉＯ２と、炭素質物と、から成る粒子の表面を炭素で被覆した電極活物質が記載されている。また、特許文献２には、非水系リチウム二次電池用負極活物質として利用し得る化合物として、炭素質物で被覆された種々の粒状金属化合物が記載されている。また、特許文献３には、非晶質構造を含む金属複合酸化物粒子から成るリチウム二次電池用負極活物質とその製造方法が記載されている。
【先行技術文献】
【特許文献】
【０００４】
【特許文献１】日本国特許公開第２００６−０９２９６９号公報
【特許文献２】日本国特許公開第２０００−０９０９１６号公報
【特許文献３】日本国特許公開第平１１−１８５７５２号公報
【発明の概要】
【０００５】
しかしながら、上記特許文献に記載されているような従来技術では、上述した金属化合物（例えばケイ素酸化物：ＳｉＯｘ）の粒子に十分な炭素被膜を形成することは困難である。即ち、この種の金属化合物粒子（一次粒子）は水等の溶媒中では凝集しがちであり、結果的に一次粒子が寄り集まって凝集してなる二次粒子の表面にのみ炭素被膜形成用炭素質材料が付与され、その付与部分にのみ炭素被膜が形成される。かかる態様では、二次粒子を構成する各一次粒子の表面に炭素被膜が形成されていない部分がかなりの比率で存在することとなり、結果、リチウムイオンに対して不活性な物質（部分）を高率で含有する電極活物質（二次粒子）が生産されてしまい、電池の高容量化を図るうえで好ましくない。
【０００６】
本発明は、かかる従来の問題を解決すべく創出されたものであり、その目的とするところは、電池の高容量化を実現する電極活物質となり得るＳｉＯｘ等の金属化合物粒子（一次粒子）に効率よく炭素被膜を形成し得る方法を提供することである。また、本発明の他の一の目的は、かかる炭素被膜形成方法を実施して好ましい炭素被膜が形成された電極活物質を製造する方法を提供することである。また、本発明の他の一の目的は、かかる製造方法で製造された電極活物質（詳しくは負極活物質及び／又は正極活物質）を備えるリチウム二次電池その他の高容量化を実現する電池を提供することである。
【０００７】
本発明によって以下の態様の電極活物質の製造方法が提供される。
即ち、ここで開示される一つの製造方法は、表面が導電性炭素被膜で被覆された粒状電極活物質を製造する方法である。かかる方法は、
（１）上記炭素被膜を形成するための炭素源を、上記被覆の対象である粒状電極活物質が分散可能な所定の第１の溶媒に、溶解させることにより調製された炭素源供給材料を用意すること、
（２）上記被覆の対象である粒状電極活物質を、上記第１の溶媒と相溶性があり且つ該粒状電極活物質が分散可能な溶媒であって上記炭素源に対して貧溶媒である第２の溶媒に、分散させることにより調製された電極活物質供給材料を用意すること、
（３）上記用意した炭素源供給材料と電極活物質供給材料とを混合した混合材料を調製すること、および、
（４）上記混合後に得られた前記電極活物質と前記炭素源との混合物を焼成することによって、該炭素源由来の導電性炭素被膜を該電極活物質の表面に形成すること、
を包含する。
【０００８】
上記構成の製造方法では、炭素被膜形成用炭素源を上記第１の溶媒に溶解させて調製された炭素源供給材料と、該第１の溶媒とは異なり該炭素源に対して貧溶媒（即ち該炭素源の溶解度が相対的に小さい溶媒、典型的には該炭素源の溶解度が同じ温度（例えば２０〜３０℃であるような室温域）で比較したときに上記第１の溶媒の溶解度の１０分の１以下、より好ましくは１００分の１以下であるような貧溶媒）に分散させて調製された電極活物質供給材料と、を混合することを特徴とする。
かかる二つの材料を混合して生じる上記第１の溶媒と第２の溶媒とが混在する（相溶する）混合溶媒中において、上記炭素源は、第２の溶媒（貧溶媒）成分中には存在困難であり実質的には第１の溶媒成分中にのみ存在することとなる。他方、粒状電極活物質は、第１と第２の何れの溶媒においても流動、分散することができる。換言すれば、上記混合溶媒中において第１と第２の溶媒成分間を自由に行き来して分散する電極活物質粒子は、第１の溶媒成分中に存在しているときに該溶媒中に存在する炭素源と相互作用する。典型的には炭素源が電極活物質粒子の表面に付着若しくは結合する。そして、炭素源と相互作用した状態にある電極活物質粒子（典型的には炭素源が表面に付着若しくは結合した電極活物質粒子）は、第１の溶媒から第２の溶媒への移動が当該相互作用した炭素源の存在により規制される。このため、上記第１の溶媒成分と第２の溶媒成分とが混在する混合溶媒中において、分散する電極活物質粒子に効率よく炭素源を相互作用させる（付着若しくは結合させる）ことができるとともに、電極活物質粒子同士の過度な凝集が抑制される。従って、本構成の製造方法によると、過度な凝集が抑制された良好な分散状態の電極活物質粒子を炭素源とともに焼成することにより、一次粒子の表面に良好に炭素被膜が形成された（即ち被膜非形成部分の少ない）粒状電極活物質を製造することができる。
【０００９】
ここで開示される電極活物質製造方法に好適に用いられる炭素被膜で被覆される対象の粒状電極活物質としては、Ｓｉ、Ｇｅ、Ｓｎ、Ｐｂ、Ａｌ、Ｇａ、Ｉｎ、Ａｓ、Ｓｂ、Ｂｉ等を構成金属元素とする金属酸化物その他の金属化合物（好ましくはこれらの何れかを構成金属元素とする金属化合物であってさらにその表面にヒドロキシ基を有する金属化合物）が挙げられる。これら金属化合物をリチウム二次電池の負極活物質として利用することにより、例えば従来の黒鉛を負極活物質とするリチウムイオン電池よりも高容量化を実現したリチウム二次電池を提供することが可能となる。
【００１０】
ここで開示される製造方法の好ましい一つの態様では、上記電極活物質は、一般式：ＳｉＯｘ（典型的には、式中のｘは０＜ｘ＜２を満足する実数である。）で示されるケイ素酸化物を主体に構成されている。この種のケイ素酸化物は、リチウムイオンの吸蔵及び放出に関する理論容量が大きく、例えばリチウム二次電池の負極活物質として好適に使用し得る。
また、上記のケイ素酸化物或いは他の上記した金属種の化合物（典型的には金属酸化物）から成る電極活物質は、充放電の際、リチウムイオンの吸蔵及び放出に伴って膨張若しくは収縮して体積が大きく変動する。その際、上述したように二次粒子（即ち一次粒子の凝集体）の表面のみに炭素被膜が形成されている活物質では、上記膨張と収縮に伴う応力により当該二次粒子が破砕してしまい、結果、炭素被膜が形成されていない表面を備える粒状物が生じてしまう。炭素被膜が形成されていない上記ケイ素酸化物その他の金属化合物は炭素被膜による導電パスが存在せず、電極活物質としての電池容量の向上に寄与しない。また、電池の耐久性、特にサイクル特性の劣化を招くため好ましくない。
これに対し、ここで開示される製造方法によると、一次粒子の表面に効率良く炭素被膜を形成することができる。このため、リチウムイオンの吸蔵及び放出に伴って活物質が膨張若しくは収縮して体積が大きく変動しても炭素被膜が形成されていない表面を備える粒状物（二次粒子の破砕物）は生じ難い。従って、安定的に高容量を維持し、サイクル特性にも優れる電池の構築に資する炭素被膜付き電極活物質を提供することができる。
【００１１】
また、ここで開示される電極活物質製造方法の好ましい他の一態様では、上記炭素源は水溶性化合物であり、上記第１の溶媒は水性溶媒（典型的には水）であり、上記第２の溶媒は水と相溶性のある非水溶媒である。特に好ましくは、上記非水溶媒（第２の溶媒）として、エタノール等の極性溶媒を使用する。また、水溶性化合物の好適例としてポリビニルアルコール等の水溶性ポリマー(典型的にはヒドロキシ基のような極性基を分子鎖中に有するポリマー）が挙げられる。
このような組み合わせで第１の溶媒と第２の溶媒とを採用することにより、より良好に一次粒子の表面に炭素被膜が形成された粒状電極活物質を製造することができる。
【００１２】
また、ここで開示される電極活物質製造方法の他の好ましい一態様では、上記焼成の前に、上記混合材料を還流処理すること、をさらに包含する。
上記混合後、焼成前に混合材料に対して還流処理を行う（典型的には混合材料の溶媒が沸騰可能な温度域で行う）ことにより、より好適に粒状電極活物質を当該混合材料中において分散させることができる。このため、より効率よく、電極活物質粒子の表面に炭素被膜を形成することができる。
【００１３】
また、ここで開示される電極活物質製造方法の他の好ましい一態様では、上記第２の溶媒とは異なる溶媒であって上記粒状電極活物質が分散可能で且つ上記炭素源に対して貧溶媒である第３の溶媒に、上記焼成前の混合材料を添加すること、をさらに包含する。そして、該第３の溶媒に添加した後の上記電極活物質と上記炭素源との混合物を焼成する。
かかる第３の溶媒に上記混合材料を添加した際、該混合材料中に存在する炭素源は当該第３の溶媒には溶解しない。このため、当該第３の溶媒中に添加された電極活物質粒子と炭素源との混合物（典型的には炭素源が表面に付着若しくは結合した電極活物質粒子）は、当該第３の溶媒中で所定の大きさの会合体を形成し、典型的には該溶媒中で沈澱する。そして、本態様の製造方法では、かかる会合体を形成した状態の電極活物質粒子と炭素源との混合物を焼成することができる。
従って、かかる態様の製造方法によると、形成される会合体のサイズに応じて焼成後の炭素被膜付き電極活物質の二次粒子のサイズ（粒径）を規定することができる。即ち、典型的には、焼成後に粉砕処理を行うことなく粒度分布の小さい（好ましくはほぼ均一な粒径サイズの）表面に炭素被膜が形成された粒状電極活物質（二次粒子）を製造することができる。
例えば、上記第１の溶媒が水性溶媒であって、前記炭素源が水溶性化合物である場合、上記第３の溶媒としては、該水性溶媒と相溶性があり且つ該水溶性化合物の溶解が困難な有機溶媒が好ましい。
【００１４】
また、本発明は、ここで開示される電極活物質（典型的にはここで開示されるいずれかの製造方法によって製造された金属化合物から成る負極活物質）を正極又は負極に備えるリチウム二次電池を提供する。
ここで開示されるリチウム二次電池は、上記電極活物質を備えることによって高容量化と良好な電気伝導性を実現し得る。このため、特にハイレート充放電が要求される車両に搭載される電池として適した性能を備える。
したがって本発明によると、ここで開示されるリチウム二次電池を備えた車両が提供される。特に、該リチウム二次電池を動力源（典型的には、ハイブリッド車両または電気車両の動力源）として備える車両（例えば自動車）が提供される。
【図面の簡単な説明】
【００１５】
【図１】図１は、本発明の一実施形態に係る組電池を模式的に示す斜視図である。
【図２】図２は、捲回電極体の一例を模式的に示す正面図である。
【図３】図３は、組電池に装備される単電池の構成を模式的に示す断面図である。
【図４】図４は、リチウム二次電池を備えた車両を模式的に示す側面図である。
【図５】図５は、従来の単一の溶媒に炭素源と粒状電極活物質とを一緒に添加して混合した状態（電極活物質粒子の凝集状態）を模式的に説明する図である。
【図６】図６は、ここで開示される製造方法により得られる混合材料（第１の溶媒と第２の溶媒を混合して調製した材料）中の炭素源と粒状電極活物質の存在状態を模式的に説明する図である。
【図７】図７は、ここで開示される好適な態様の製造方法によって得られる第３の溶媒中に存在する会合体の状態を模式的に説明する図である。
【図８】図８には、後述する実施例で得られた各サンプル（３−１〜３−６）の混合材料中のＰＶＡ粒子層厚み（ｍｍ）を示す折れ線グラフ（右の縦軸参照）と、各サンプル（３−１〜３−６）を電極活物質としてそれぞれ使用して構築した評価用セル（対極は金属リチウム）で試験して得られた活物質容量（ｍＡｈ／ｇ）を示す棒グラフ（左の縦軸参照）とが記載されている。
【発明を実施するための形態】
【００１６】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
なお、本明細書において「電極活物質」は、正極側で使用される正極活物質と負極側で使用される負極活物質を包含する用語である。ここで活物質とは、正極側又は負極側において蓄電に関与する物質（化合物）をいう。即ち、電池の充放電時において電子の放出若しくは取り込みに関与する物質をいう。
また、本明細書において「リチウム二次電池」は、電解質中のリチウムイオンが電荷の移動を担う電池をいい、いわゆるリチウムイオン電池（若しくはリチウムイオン二次電池）、リチウムポリマー電池等と呼ばれているものは、ここでいう「リチウム二次電池」に包含される典型例である。
【００１７】
ここで開示される製造方法によると、上述のとおり、表面に導電性炭素被膜が形成された粒状電極活物質を製造することができる。
ここで開示される製造方法は、電気伝導性の乏しい電極活物質粒子（即ち一次粒子）の表面を効率よく導電性炭素被膜で被覆することができる。
かかる被覆を行う対象である粒状電極活物質としては、少なくとも上記第１の溶媒ならびに第２の溶媒に分散可能であり、焼成により炭素源由来の導電性炭素被膜が表面に形成され得る性状の活物質であればよい。例えば、リチウム二次電池の負極活物質として好適な種々の金属化合物（例えば金属酸化物）、例えばＳｉ、Ｇｅ、Ｓｎ、Ｐｂ、Ａｌ、Ｇａ、Ｉｎ、Ａｓ、Ｓｂ、Ｂｉ等を構成金属元素とする金属酸化物その他の金属化合物（好ましくはこれらの何れかを構成金属元素とする金属化合物であってさらにその表面にヒドロキシ基を有する金属化合物）が挙げられる。特に、上記式により規定されるようなケイ素酸化物を好ましく採用することができる。また、リチウム二次電池の正極活物質として使用し得る種々のリチウム遷移金属複合酸化物（例えばＬｉＣｏＯ２、ＬｉＮｉＯ２、ＬｉＭｎ２Ｏ４）を採用することができる。
例えば、一般式：ＬｉＭＡＯ４で示されるポリアニオン化合物が挙げられる。かかる式中のＭは、典型的にはＦｅ、Ｃｏ、Ｎｉ及びＭｎから成る群から選択される少なくとも１種の金属元素を含む１種又は２種以上の元素（典型的には１種又は２種以上の金属元素）である。即ち、Ｆｅ、Ｃｏ、Ｎｉ及びＭｎから成る群から選択される少なくとも１種の金属元素を含むが他の少量含有され得るマイナー添加元素の存在を許容する（かかるマイナー添加元素は存在しなくてもよい。）。また、上記式中のＡは、典型的には、Ｐ、Ｓｉ、Ｓ及びＶから成る群から選択される１種又は２種以上の元素である。
【００１８】
典型的には平均粒子径（例えば光散乱法に基づくメジアン径：ｄ５０、或いは顕微鏡観察に基づく平均粒子径）が凡そ１０ｎｍ以上１０μｍ以下（典型的には１００ｎｍ以上５μｍ以下、例えば１００ｎｍ以上１０００ｎｍ以下程度の粒状電極活物質を好ましく使用することができる。
電極活物質の特に好適な具体例として、一般式：ＳｉＯｘで示されるケイ素酸化物が挙げられる。ここで式中のｘは典型的には０＜ｘ＜２を満足する実数であり、好ましくは０＜ｘ＜０．６程度であり得る。市販されるＳｉＯ等のケイ素酸化物から成る粉末材料を好適に使用することができる。
かかるケイ素酸化物を負極活物質として利用することにより、特に高い充放電容量を有するリチウム二次電池が得られ得る。また、この種の金属化合物から成るリチウム二次電池用負極活物質は、充放電時におけるリチウムイオンの吸蔵に伴って活物質自体が膨張し、反対にリチウムイオンの放出に伴って活物質自体が収縮する。従って、電池の負極に存在する負極活物質構造物（即ち一次粒子が凝集した二次粒子によって典型的には銅等の負極集電体の表面に層状に構成されている。）の構造変化が起き易く、構造変化後の負極活物質構造物にも高い電気伝導性を維持させるためには当該負極活物質構造物を構成する一次粒子の表面に充分に導電性炭素被膜を予め形成しておく必要がある。ここに開示される製造方法を実施することによって、このような性状の電極活物質の一次粒子の表面に効率よく充分な導電性炭素被膜を形成することができる。
【００１９】
また、シリカ等のケイ素酸化物の粒子は、通常の状態において、その表面にＨ基（典型的にはＳｉ−Ｏ−Ｈ、若しくはＳｉ−Ｈ）が存在する場合が多い。かかるＨ基（Ｈ原子）の存在により、例えば炭素源として水溶性化合物を用いた場合、ケイ素酸化物粒子のＨ基と、当該化合物中の電気陰性度の高い部分（例えば−ＯＨ基の部分）との間で水素結合、共有結合等が生じ、強い相互作用を生じさせることができる。このため、適当な第１の溶媒と第２の溶媒とを選択することにより、水溶性化合物等の炭素源を容易にケイ素酸化物粒子の表面に付与することができる。
【００２０】
上記ケイ素酸化物のような金属化合物から成る電極活物質粒子の表面に導電性炭素被膜を形成するための炭素源としては、電極活物質粒子とともに焼成された際に熱分解して導電性のある炭素被膜（炭素構造物）を形成可能であり、少なくとも所定の溶媒に溶解可能な性質のものを使用することができる。
例えば、水溶性有機物（特に水溶性ポリマー等の高分子化合物）であって所定の有機溶媒には溶解性が乏しい（即ち当該有機溶媒は貧溶媒に該当する。）ような性質を有する水溶性有機物を好ましく使用することができる。
この種の有機物の好適例としてポリビニルアルコール（ＰＶＡ）のような水溶性高分子化合物（ポリマー）が挙げられる。ＰＶＡは、分子鎖中に多くのヒドロキシ基（−ＯＨ）を有しており、かかるヒドロキシ基の存在により、電極活物質粒子との相互作用（例えば、水素結合、共有結合、イオン結合等の化学的結合、或いは吸着等の物理的結合）を起こし易く好ましい。また、大気中のような酸化条件下での熱分解により、良好な導電性を示す炭素被膜を形成することができるため好ましい。ＰＶＡの他、炭素源として使用可能な水溶性高分子化合物として、デンプン、ゼラチン、メチルセルロース、カルボキシメチルセルロース等のセルロース誘導体、ポリアクリル酸、ポリアクリルアミド、ポリエチレンオキシド、ポリエチレングリコール等が挙げられる。
【００２１】
次に上述したような粒状電極活物質と炭素源（炭素被膜形成用材料）とを使用してここで開示される製造方法を好適に実施する態様について説明する。
ここで開示される製造方法に使用される炭素源供給材料は、所定の炭素源（１種類の炭素源のみを用いてもよく、２種類以上の炭素源を組み合わせて用いてもよい。）を溶解可能な第１の溶媒に適量を溶解させることにより調製される。第１の溶媒（即ち炭素源供給材料を調製するための溶媒）は、便宜上第１の溶媒と記載しているが、それ自体が単独の物質（分子種）により構成されていてもよく、或いは複数の物質（分子種）の混合媒体であってもよい。第１の溶媒は、使用する炭素源に応じて選択することができる。例えば、ＰＶＡ等の水溶性有機物を炭素源として使用する場合、当該化合物を好適に溶解し得る水性溶媒が好ましい。典型的には、水（蒸留水や脱イオン水を包含する。）を第１の溶媒として使用することができる。
【００２２】
また、炭素源供給材料（即ち炭素源溶液）における当該炭素源の濃度は特に限定しないが、完全に溶解され得るような含有量（即ち当該溶媒に対する飽和溶液よりも低濃度）が好ましい。特に限定しないが、例えばＰＶＡのような水溶性化合物の場合、炭素源供給材料全体を１００質量％として水溶性化合物の濃度が０．１〜２０質量％程度（好ましくは０．３〜１５質量％程度）であるような水溶液を炭素源供給材料として好適に使用することができる。例えば、水１リットル（Ｌ）に対して１ｇ〜１０ｇ程度のＰＶＡを添加することにより調製されたＰＶＡ水溶液は、好適な炭素源供給材料の一例である。なお、炭素源供給材料の調製時には、炭素源を充分に溶解させるための種々の攪拌・混合手段を採用することができる。例えば、超音波による振動で攪拌を行ったり、マグネチックスターラーを使用することができる。
なお、本発明の目的を妨げない限りにおいて、炭素源供給材料に、上述した第１の溶媒ならびに炭素源以外の成分を含ませてもよい。例えば、付加的な成分としては、ｐＨ調整剤、界面活性剤、防腐剤、着色剤、等が挙げられる。
【００２３】
一方、ここで開示される製造方法に使用される粒状電極活物質供給材料は、所定の粒状電極活物質を分散可能な第２の溶媒に適量を分散させることにより調製される。なお、第１の溶媒と同様、第２の溶媒についても便宜上第２の溶媒と記載しているがそれ自体が単独の物質（分子種）により構成されていてもよく、或いは複数の物質（分子種）の混合媒体であってもよい。
第２の溶媒は、使用する粒状電極活物質が分散可能であることに加え、第１の溶媒と相溶性があり、且つ、使用する炭素源に対して貧溶媒であることが要求される。例えば、ＰＶＡ、ポリアクリル酸、ポリエチレングリコール等の水溶性有機物（典型的には水溶性ポリマー）を第１の溶媒としての水に溶解させて炭素源供給材料として使用する場合、水と相溶性があり且つ当該炭素源が溶け難い（即ち非常に溶解度が小さい）有機溶媒を第２の溶媒として好ましく使用することができる。例えば、ＰＶＡに対して貧溶媒であるアルコール類、例えばメタノール、エタノール、イソプロパノール、ブタノール（典型的には２−メチル−２−ブタノール）のような炭素数５以下の低級アルコールを第２の溶媒として使用することができる。このように、使用する炭素源をいったん決定すれば、その炭素源に対して貧溶媒であることが公知である何れかの溶媒を適宜選択すればよいことは、当業者には理解される。
【００２４】
また、電極活物質供給材料（即ち活物質源を分散状態で含む分散液若しくは懸濁液）における当該電極活物質の濃度は特に限定されない。例えば、ＳｉＯのようなケイ素酸化物或いは上述したような他の金属の酸化物の場合、電極活物質供給材料全体を１００質量％として粒状電極活物質の含有率が０．５〜２０質量％程度（好ましくは１〜１０質量％程度）であるような分散液を電極活物質供給材料として好適に使用することができる。例えば、エタノールのようなカーボン数が５以下の低級アルコール１リットル（Ｌ）に対して１０ｇ〜１００ｇ程度のケイ素酸化物を添加することにより調製された分散液（又は懸濁液）は、好適な電極活物質源供給材料の一例である。
なお、本発明の目的を妨げない限りにおいて、電極活物質供給材料に、上述した第２の溶媒ならびに粒状電極活物質以外の成分を含ませてもよい。例えば、付加的な成分としては、典型的にはカーボンブラック等の炭素材から成る導電補助材、分散剤、ｐＨ調整剤、界面活性剤、防腐剤、着色剤、等が挙げられる。例えば、ＳｉＯのようなケイ素酸化物或いは上述したような他の金属化合物（酸化物等）から成る電極活物質全量の１〜２０質量％に相当する量の導電補助材（例えばカーボンブラックのような微粒状の導電性炭素材）を添加することが好ましい。
【００２５】
ここで開示される製造方法では、上記のようにして調製した炭素源供給材料と、電極活物質供給材料とを所定の割合で混合して混合材料を調製する。このとき、第２の溶媒（電極活物質供給材料由来）は、炭素源供給材料に含まれる炭素源に対して貧溶媒であるので、当該炭素源（典型的には有機物）は第２の溶媒（貧溶媒）成分中には存在困難であり実質的には第１の溶媒成分中にのみ存在することとなる。他方、粒状電極活物質は、第１と第２の何れの溶媒においても流動可能である。このため、混合溶媒中において第１と第２の溶媒成分間を自由に行き来して分散する電極活物質粒子は、第１の溶媒成分中に存在しているときに該溶媒中に存在する炭素源と相互作用する。例えば、炭素源が極性基を有する化合物（例えばヒドロキシ基を分子鎖中に多数有するＰＶＡ）であり、且つ、粒状電極活物質が表面に極性基（例えばＳｉＯの表面にある水素原子）を備えている場合、かかるヒドロキシ基の存在により、電極活物質粒子との相互作用（例えば、水素結合、共有結合、イオン結合等の化学的結合、或いは吸着等の物理的結合）を起こし易くなり好ましい。
【００２６】
図５は、従来の単一の溶媒（例えば水）に炭素源（例えばＰＶＡ）１０２と粒状電極活物質（例えばケイ素酸化物）１０４とを一緒に添加し混合した状態を説明する模式図である。この図に示すように、単独の溶媒（即ち炭素源に対する良溶媒）を用いると該溶媒中の電極活物質粒子から成る過度な凝集を起こしがちであり、上述した理由により好ましくない。その一方、図６に示すように、第１の溶媒と第２の溶媒とを用いて炭素源供給材料と電極活物質供給材料とを適量ずつ混合する方法によると、炭素源１０２は実質的に第１の溶媒成分中にのみ存在するため、当該炭素源１０２の混合材料中における存在分布に応じて粒状電極活物質１０４の存在分布も規制され、図５に示すような凝集が抑制されて電極活物質（一次粒子）１０４の好適な分散状態を実現することができる。
【００２７】
炭素源供給材料と電極活物質供給材料の混合質量比率は、これら供給材料中における炭素源の濃度及び／又は活物質粒子の含有率によっても異なり得るため特に限定されない。
一つの目安として、電極活物質の表面に充分量の炭素源が付与されるように両供給材料を混合することが好ましい。例えば、１質量部の粒状電極活物質（例えばケイ素酸化物）に対して０．１〜１５質量部程度の炭素源（例えばＰＶＡ）が混合されるように、炭素源供給材料と電極活物質供給材料との混合割合を調整することが好ましい。１質量部の粒状電極活物質（例えばケイ素酸化物）に対して０．１〜１０質量部程度の炭素源（例えばＰＶＡ）が混合されることが、より好ましく、１質量部の粒状電極活物質（例えばケイ素酸化物）に対して１〜５質量部程度の炭素源（例えばＰＶＡ）が混合されるようにして上記炭素源供給材料と電極活物質供給材料とを混合して混合材料を調製することが、さらに好ましい。このような混合比率で炭素源と粒状電極活物質とを混合することにより、電極活物質の表面に適当量の炭素源を付与することができる。また、後述するように第３の溶媒に混合材料を添加した場合に良好な会合体を形成することができる。即ち、炭素源の混合割合が低すぎると会合体を形成困難となり、他方、炭素源の混合割合が高すぎると炭素源のみから成る会合体が生成される虞があり好ましくない。
【００２８】
また、他の一つの目安として、粒状電極活物質が過度に凝集しないように両供給材料を混合することが好ましい。かかる観点からは、炭素源の貧溶媒である第２の溶媒（例えばＳｉＯｘ等の電極活物質粒子を分散可能なエタノールその他の低級アルコールのような極性有機溶媒）の混合体積比率を第１の溶媒（例えばＰＶＡ等の炭素源を溶解可能な水）の混合体積比率とほぼ同じにする、即ちほぼ均等量を混合することが望ましい。例えば、第１の溶媒と第２の溶媒との混合体積比率（第１の溶媒：第２の溶媒）が１：３〜３：１であることが適当であり、１：２〜２：１であることが好ましく、１：１．５〜１．５：１であることがより好ましく、ほぼ１：１に混合することが特に好ましい。
このように、第１の溶媒と第２の溶媒との混合体積比率を設定することによって、電極活物質粒子相互の凝集を低減し、比較的小粒径の電極活物質二次粒子（会合体）を形成することができる。このことは、換言すれば、第１の溶媒と第２の溶媒との混合体積比率を調整することによって、焼成後に得られる炭素被膜付き電極活物質粒子（一次粒子の凝集体、即ち二次粒子）の粒径やサイズを調整することができる。
【００２９】
また、ここで開示される製造方法の好適な一態様では、上記混合材料中の粒状電極活物質の分散状態をより改善すべく、上記二つの供給材料を混合した後、後述する焼成処理の前に、該混合材料の溶媒（即ち第１の溶媒と第２の溶媒との混合媒体）が沸騰する温度域まで該混合材料を加熱して還流処理を行う。
例えば、第１の溶媒が水であり、第２の溶媒が水と相溶性のある非水溶媒であるエタノール（又は他の低級アルコール）である場合、該水とエタノールの共沸温度である約７３℃を上回る温度域（典型的には８０〜１００℃、例えば９０±５℃程度）で適当時間、典型的には１時間〜２４時間程度（例えば８時間〜１２時間）の還流処理を行うことが好ましい。なお、還流処理自体は、従来技術であり、本発明の実施において特別な処理を必要としないため、これ以上の詳細な説明は省略する。
【００３０】
また、ここで開示される製造方法の好適な他の一態様では、電極活物質粒子の過度の凝集をより確実に抑制し、さらには粒径の小さい電極活物質粒子と炭素源の会合体（即ち炭素被膜付き電極活物質から成る二次粒子を形成するベースとなるもの）を得るため、上記第２の溶媒とは異なる溶媒であって粒状電極活物質が分散可能で且つ炭素源に対して貧溶媒である第３の溶媒に焼成前の混合材料を添加することを行う。
かかる第３の溶媒への混合材料の添加（典型的には第３の溶媒に該混合材料を滴下する。）を行うことにより、図７に示すような炭素源１０２と粒状電極活物質１０４とにより構成される比較的小サイズの会合体１１０を形成することができる。即ち、第３の溶媒に上記混合材料を添加した際、該混合材料中に存在する炭素源１０２は当該第３の溶媒には溶解しないため、当該第３の溶媒中に添加された粒状電極活物質１０４と炭素源１０２との混合物（典型的には炭素源が表面に付着若しくは結合した電極活物質粒子）は、当該第３の溶媒中で所定の大きさの会合体１１０を形成する。典型的には該溶媒中で沈澱する。
かかる目的のためには、添加される混合材料の容積と同じか或いは該容積を上回る量の第３の溶媒を使用することがより好ましい。特に限定しないが、例えば混合材料の容積に対して１倍以上、特に１．５倍以上（さらには２倍以上）の第３の溶媒を使用することが好ましい。
そして、本態様の製造方法では、かかる会合体を第３の溶媒中から回収し（例えば濾過や遠心分離）、回収した会合体（電極活物質粒子と炭素源との混合物）を焼成することにより、所定のサイズの炭素被膜付き電極活物質から成る二次粒子を作製することができる。換言すれば、かかる態様の製造方法によると、形成される会合体のサイズに応じて焼成後の炭素被膜付き電極活物質から成る二次粒子のサイズ（粒径）を規定することができる。また、粒度分布の小さい（好ましくはほぼ均一な粒径サイズの）二次粒子を製造することができる。
【００３１】
第３の溶媒としては、上記の条件を具備する限りにおいて種々の溶媒を使用することができるが、例えば上記第１の溶媒が水性溶媒（典型的には水）であって、前記炭素源が水溶性化合物（例えばＰＶＡ）である場合、上記第３の溶媒（貧溶媒）としては、該水性溶媒と相溶性があり且つ水溶性化合物の溶解が困難な有機溶媒が好ましい。例えば、該水溶性化合物の溶解が困難な非プロトン性の極性溶媒（例えばアセトン、アセトニトリル）が好ましく使用される。
【００３２】
ここで開示される製造方法によると、上記のように調製した混合材料（即ち、上記還流処理を行った場合は当該還流処理後の混合材料、さらにまた上記第３の溶媒に添加した場合は当該溶媒から回収後の混合材料（会合体）を意味する。以下同じ。）に含まれる電極活物質と炭素源とが相互作用して構成された混合物、典型的には炭素源が電極活物質粒子の表面に付着若しくは結合して構成された混合物を焼成する。これにより当該炭素源（典型的にはＰＶＡ等の有機物）由来の導電性炭素被膜を該電極活物質の表面に形成することができる。
焼成条件は、使用する炭素源を熱分解可能であり且つ当該熱分解物で粒状電極活物質の表面を被覆できる条件であれば特に制限はない。上記一般式：ＳｉＯｘで示されるケイ素酸化物のような金属酸化物を電極活物質（この場合は負極活物質）とする場合は、好ましくは、アルゴンガス、窒素ガスのような不活性ガス雰囲気中で焼成することが当該焼成処理により電極活物質の構造や組成に影響を与えないという観点から好ましい。また、焼成温度は、使用する炭素源を熱分解可能であればよいが、典型的には８００℃以上（例えば８００〜１２００℃、例えば９００〜１０００℃）で概ね３〜１２時間程度（例えば５〜８時間）の焼成を行う。これにより、粒状電極活物質（一次粒子）の表面に炭素被膜を好適に形成することができる。なお、好ましくは、被焼成物を上記最高温度域まで昇温する前に適当時間（典型的には１２時間以下、例えば１〜６時間程度）の仮焼成を行う。仮焼成の温度域は特に限定しないが、典型的には１００〜６００℃、例えば２００℃〜３００℃の温度域で行うことが好ましい。このような仮焼成を行うことにより、例えば炭素源の過剰な反応性基（例えばＰＶＡのヒドロキシ基）を消失させておくことができる。また、良好な焼結体を得ることができる。
【００３３】
ここで開示される製造方法によって製造された粒状の炭素被膜付き電極活物質は、従来の電極活物質と同様に電池の正極若しくは負極の活物質として好適に使用することができる。そして、かかる電極活物質を使用する以外は、従来と同様の材料とプロセスを採用して種々のタイプの二次電池を構築することができる。例えば、ここで開示される製造方法によって製造された炭素被膜付きの上記一般式：ＳｉＯｘで示されるケイ素酸化物のような金属酸化物を負極活物質として採用してリチウム二次電池を構築することができる。
【００３４】
以下、ここで開示される製造方法により製造される上記一般式：ＳｉＯｘで示されるケイ素酸化物から成る負極活物質を備えるリチウム二次電池の一実施形態を説明するが、ここで開示される電極活物質の使用形態をこれに限定する意図ではない。
【００３５】
本実施形態に係るリチウム二次電池は、上記炭素被膜付き粒状電極活物質を負極活物質として用いることによって特徴付けられる。従って、本発明の目的を実現し得る限り、他の電池構成材料や部材等の内容、材質あるいは組成は特に制限されず、従来のリチウム二次電池と同様のものを用いることができる。
【００３６】
負極としては、ここで開示される製造方法により得られた粒状負極活物質（ＳｉＯｘ）を、バインダ（結着材）および必要に応じて使用される導電補助材等とともに負極合材として負極集電体上に付着させて負極活物質層（負極合材層ともいう。）を形成した形態のものを好ましく使用し得る。
負極集電体としては、銅、ニッケル、チタン、ステンレス鋼等を主体とする棒状体、板状体、箔状体、網状体等を用いることができる。バインダとしては、ポリフッ化ビニリデン（ＰＶＤＦ）、ポリテトラフルオロエチレン（ＰＴＦＥ）、カルボキシメチルセルロース（ＣＭＣ）、スチレンブタジエンゴム（ＳＢＲ）等が例示される。導電補助材としては、従来と同様のカーボンブラック等の炭素材を好ましく使用することができる。
【００３７】
ここで使用する粒状負極活物質（一次粒子）の表面は炭素被膜によって充分に被覆されており導電性に優れる。このため、負極活物質層に導電補助材を含有させないか或いは従来よりも導電補助材の含有率を低減させることができる。限定するものではないが、使用する負極活物質１００質量部に対する導電補助材の使用量は、例えば凡そ１〜３０質量部（好ましくは凡そ２〜２０質量部、例えば５〜１０質量部程度）とすることができる。上述した電極活物質供給材料中に導電補助材を予め含有させておいてもよい。
【００３８】
そして、上記粒状負極活物質および必要に応じて導電補助材を含む粉末状材料を適当なバインダ（結着材）とともに適当な分散媒体（例えばＮ−メチルピロリドン：ＮＭＰのような有機溶媒或いは水のような水性溶媒）に分散させて混練することによって、ペースト状の負極合材（以下、「負極合材ペースト」という。）を調製する。この負極合材ペーストを負極集電体上に適当量塗布し、さらに乾燥ならびにプレスすることによってリチウム二次電池用負極を作製することができる。
【００３９】
一方、正極としては、Ｌｉを可逆的に吸蔵および放出可能な活物質をバインダおよび必要に応じて使用される導電材等とともに正極合材として集電体に付着させた形態のものを好ましく使用し得る。
正極集電体としては、アルミニウム、ニッケル、チタン、ステンレス鋼等を主体とする棒状体、板状体、箔状体、網状体等を用いることができる。正極活物質としては、一般的なリチウム二次電池の正極に用いられ得る層状構造のリチウム遷移金属複合酸化物、スピネル構造のリチウム遷移金属複合酸化物、オリビン構造を有するポリアニオン化合物、等を好ましく用いることができる。かかる活物質の代表例として、コバルト酸リチウム（ＬｉＣｏＯ２）、ニッケル酸リチウム（ＬｉＮｉＯ２）、マンガン酸リチウム（ＬｉＭｎ２Ｏ４）等のリチウム遷移金属酸化物が挙げられる。また、以下の一般式：
ＬｉＭＡＯ４ 
で示される化合物が挙げられる。かかる式中のＭは、Ｆｅ、Ｃｏ、Ｎｉ及びＭｎから成る群から選択される少なくとも１種の金属元素を含む１種又は２種以上の元素（典型的には１種又は２種以上の金属元素）である。即ち、Ｆｅ、Ｃｏ、Ｎｉ及びＭｎから成る群から選択される少なくとも１種の金属元素を含むが他の少量含有され得るマイナー添加元素の存在を許容する（かかるマイナー添加元素は存在しなくてもよい。）。また、上記式中のＡは、Ｐ、Ｓｉ、Ｓ及びＶから成る群から選択される１種又は２種以上の元素であることが好ましい。具体例としてＬｉＦｅＰＯ４、ＬｉＦｅＳｉＯ４、ＬｉＣｏＰＯ４、ＬｉＣｏＳｉＯ４、ＬｉＦｅ０．５Ｃｏ０．５ＰＯ４、ＬｉＦｅ０．５Ｃｏ０．５ＳｉＯ４、ＬｉＭｎＰＯ４、ＬｉＭｎＳｉＯ４、ＬｉＮｉＰＯ４、ＬｉＮｉＳｉＯ４が特に好ましいポリアニオン型化合物として挙げられる。
【００４０】
バインダとしては、負極側と同様のもの等を使用することができる。導電材としては、カーボンブラック（例えばアセチレンブラック）、グラファイト粉末等の炭素材、或いはニッケル粉末等の導電性金属粉末が例示される。特に限定するものではないが、正極活物質１００質量部に対する導電材の使用量は、例えば１〜２０質量部（好ましくは５〜１５質量部）とすることができる。また、正極活物質１００質量部に対するバインダの使用量は、例えば０．５〜１０質量部とすることができる。
そして、負極側と同様、上記したような正極活物質および導電補助材を含む粉末状材料を適当なバインダとともに適当な分散媒体に分散させて混練することによって、ペースト状の正極合材（以下、「正極合材ペースト」という。）を調製する。この正極合材ペーストを正極集電体上に適当量塗布し、さらに乾燥ならびにプレスすることによってリチウム二次電池用正極を作製することができる。
【００４１】
正極と負極との間に介在される電解質としては、非水溶媒と該溶媒に溶解可能なリチウム塩とを含む液状電解質が好ましく用いられる。かかる液状電解質にポリマーが添加された固体状（ゲル状）の電解質であってもよい。上記非水溶媒としては、カーボネート類、エステル類、エーテル類、ニトリル類、スルホン類、ラクトン類等の非プロトン性溶媒を用いることができる。例えば、エチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）、１，２−ジメトキシエタン、１，２−ジエトキシエタン、テトラヒドロフラン、２−メチルテトラヒドロフラン、ジオキサン、１，３−ジオキソラン、ジエチレングリコールジメチルエーテル、エチレングリコールジメチルエーテル、アセトニトリル、プロピオニトリル、ニトロメタン、Ｎ，Ｎ−ジメチルホルムアミド、ジメチルスルホキシド、スルホラン、γ−ブチロラクトン等の、一般にリチウムイオン電池の電解質に使用し得るものとして知られている非水溶媒から選択される一種または二種以上を用いることができる。
【００４２】
リチウム塩としては、ＬｉＰＦ６，ＬｉＢＦ４，ＬｉＮ（ＳＯ２ＣＦ３）２，ＬｉＮ（ＳＯ２Ｃ２Ｆ５）２，ＬｉＣＦ３ＳＯ３，ＬｉＣ４Ｆ９ＳＯ３，ＬｉＣ（ＳＯ２ＣＦ３）３，ＬｉＣｌＯ４等の、リチウムイオン電池の電解液において支持電解質として機能し得ることが知られている各種のリチウム塩から選択される一種または二種以上を用いることができる。リチウム塩の濃度は特に制限されず、例えば従来のリチウムイオン電池で使用される電解質と同様とすることができる。通常は、支持電解質（リチウム塩）を凡そ０．１ｍｏｌ／Ｌ〜５ｍｏｌ／Ｌ（例えば凡そ０．８ｍｏｌ／Ｌ〜１．５ｍｏｌ／Ｌ）程度の濃度で含有する非水電解質を好ましく使用することができる。
【００４３】
上記正極および負極を電解質とともに適当な容器（金属または樹脂製の筐体、ラミネートフィルムからなる袋体等）に収容してリチウム二次電池が構築される。ここに開示されるリチウム二次電池の代表的な構成では、正極と負極との間にセパレータが介在される。セパレータとしては、一般的なリチウム二次電池に用いられるセパレータと同様のものを用いることができ、特に限定されない。例えば、ポリエチレン（ＰＥ）、ポリプロピレン（ＰＰ）、ポリエステル、セルロース、ポリアミド等の樹脂からなる多孔質シート、不織布等を用いることができる。なお、固体状の電解質を用いたリチウム二次電池では、該電解質がセパレータを兼ねる構成としてもよい。リチウム二次電池の形状（容器の外形）は特に限定されず、例えば、円筒型、角型、コイン型等の形状であり得る。
【００４４】
以下、捲回電極体を備えるリチウム二次電池と該電池を構成パーツ（単電池）として構築される車載用の組電池（バッテリーパック）を例にして、ここで開示される製造方法により製造された負極活物質を使用したリチウム二次電池のより具体的な態様を説明するが、本発明をかかる実施態様に限定することを意図したものではない。
なお、以下の図面において、同じ作用を奏する部材・部位には同じ符号を付し、重複する説明は省略又は簡略化することがある。また、各図における寸法関係（長さ、幅、厚み等）は実際の寸法関係を反映するものではない。
【００４５】
図１に示すように、本実施形態に係る組電池１０の構成要素として用いられる単電池１２は、従来の組電池に装備される単電池と同様、典型的には所定の電池構成材料（正負極それぞれの活物質、正負極それぞれの集電体、セパレータ等）を具備する電極体と、該電極体及び適当な電解質を収容する容器とを備える。
ここで開示される組電池１０は、所定数（典型的には１０個以上、好ましくは１０〜３０個程度、例えば２０個）の同形状の単電池１２を備える。単電池１２は、後述する扁平形状の捲回電極体を収容し得る形状（本実施形態では扁平な箱形）の容器１４を備える。単電池１２の各部のサイズ（例えば、積層方向の厚み等の外形形状）は、使用する容器１４の製造時における寸法誤差等によりばらつき得る。
容器１４には、捲回電極体の正極と電気的に接続する正極端子１５及び該電極体の負極と電気的に接続する負極端子１６が設けられている。図示するように、隣接する単電池１２間において一方の正極端子１５と他方の負極端子１６とが接続具１７によって電気的に接続される。このように各単電池１２を直列に接続することにより、所望する電圧の組電池１０が構築される。
なお、容器１４には、容器内部で発生したガス抜きのための安全弁１３等が従来の単電池容器と同様に設けられ得る。かかる容器１４の構成自体は本発明を特徴付けるものではないため、詳細な説明は省略する。
【００４６】
容器１４の材質は、従来の単電池で使用されるものと同じであればよく特に制限はない。例えば、金属（例えばアルミニウム、スチール等）製の容器、合成樹脂（例えばポリプロピレン等のポリオレフィン系樹脂、ポリエチレンテレフタレート、ポリテトラフルオロエチレン、ポリアミド系樹脂等の高融点樹脂等）製の容器等を好ましく用いることができる。本実施形態に係る容器１４は例えばアルミニウム製である。
図２及び図３に示すように、単電池１２は、通常のリチウムイオン電池の捲回電極体と同様、シート状正極３２（以下「正極シート３２」ともいう。）とシート状負極３４（以下「負極シート３４」ともいう。）とを計二枚のシート状セパレータ３６（以下「セパレータシート３６」ともいう。）とともに積層し、さらに当該正極シート３２と負極シート３４とをややずらしつつ捲回し、次いで得られた捲回体を側面方向から押しつぶして拉げさせることによって作製される扁平形状の捲回電極体３０を備える。
【００４７】
図２及び図３に示すように、かかる捲回電極体３０の捲回方向に対する横方向において、上記のとおりにややずらしつつ捲回された結果として、正極シート３２及び負極シート３４の端の一部がそれぞれ捲回コア部分３１（即ち正極シート３２の正極活物質層形成部分と負極シート３４の負極活物質層形成部分とセパレータシート３６とが密に捲回された部分）から外方にはみ出ている。かかる正極側はみ出し部分（即ち正極活物質層の非形成部分）３２Ａ及び負極側はみ出し部分（即ち負極活物質層の非形成部分）３４Ａには、正極リード端子３２Ｂ及び負極リード端子３４Ｂが付設されており、それらのリード端子３２Ｂ，３４Ｂがそれぞれ上述の正極端子１５及び負極端子１６と電気的に接続される。
【００４８】
上記構成の捲回電極体３０を構成する材料及び部材自体は、負極活物質としてここで開示される製造方法で得られた炭素被膜付き負極活物質（例えば上記一般式のＳｉＯｘ）を採用する以外、従来のリチウムイオン電池の電極体と同様でよく、特に制限はない。
正極シート３２は長尺状の正極集電体（例えば長尺状アルミニウム箔）の上にリチウム二次電池用正極活物質層が付与されて形成される。本実施形態では、捲回電極体３０を備えるリチウム二次電池（単電池）１２に好ましく使用され得る形状であるシート状正極集電体が用いられている。例えば、長さ２ｍ〜４ｍ（例えば２．７ｍ）、幅８ｃｍ〜１２ｃｍ（例えば１０ｃｍ）、厚み５μｍ〜３０μｍ（例えば１０μｍ〜２０μｍ）程度のアルミニウム箔を集電体として使用し、予め調製された正極合材ペーストを当該集電体表面に塗布することにより、正極活物質層を形成する。そして、グラビアコーター、スリットコーター、ダイコーター、コンマコーター等の適当な塗付装置を使用することにより、正極集電体の表面に上記ペーストを好適に塗付することができる。
【００４９】
上記ペーストを塗布した後、該ペーストに含まれる溶媒（典型的には水）を乾燥させ、圧縮（プレス）することにより正極活物質層を形成する。圧縮方法としては、従来公知のロールプレス法、平板プレス法等の圧縮方法を採用することができる。正極活物質層の層厚を調整するにあたり、膜厚測定器で該厚みを測定し、プレス圧を調整して所望の厚みになるまで複数回圧縮してもよい。
【００５０】
一方、負極シート３４は長尺状の負極集電体の上にリチウム二次電池用負極活物質層が付与されて形成され得る。負極集電体としては、導電性の良好な金属からなる導電性部材、例えば銅を用いることができる。本実施形態では、捲回電極体３０を備えるリチウム二次電池（単電池）１２に好ましく使用され得る形状であるシート状負極集電体が用いられている。例えば、長さ２ｍ〜４ｍ（例えば２．９ｍ）、幅８ｃｍ〜１２ｃｍ（例えば１０ｃｍ）、厚み５μｍ〜３０μｍ（例えば１０μｍ〜２０μｍ）程度の銅箔を負極集電体として使用し、その表面に負極活物質と結着材等とを適当な溶媒（水、有機溶媒及びこれらの混合溶媒）に添加し分散または溶解させて調製した負極合材ペースト（例えば負極活物質８０〜９０質量％、導電補助材３〜１５質量％、バインダ３〜１０質量％）が塗付され、溶媒を乾燥させて圧縮することにより好ましく作製され得る。
【００５１】
また、正負極シート３２，３４間に使用される好適なセパレータシート３６としては多孔質ポリオレフィン樹脂で構成されたものが例示される。例えば、長さ２ｍ〜４ｍ（例えば３．１ｍ）、幅８ｃｍ〜１２ｃｍ（例えば１１ｃｍ）、厚み５μｍ〜３０μｍ（例えば２５μｍ）程度の合成樹脂製（例えばポリエチレン等のポリオレフィン製）の多孔質セパレータシートを好適に使用し得る。
なお、電解質として固体電解質若しくはゲル状電解質を使用するリチウム二次電池（いわゆるリチウムイオンポリマー電池）の場合には、セパレータが不要な場合（即ちこの場合には電解質自体がセパレータとしても機能し得る。）があり得る。
【００５２】
得られた扁平形状の捲回電極体３０を、図３に示すように捲回軸が横倒しになるようにして容器１４内に収容するとともに、適当な支持塩（例えばＬｉＰＦ６等のリチウム塩）を適当量（例えば濃度１Ｍ）含むジエチルカーボネート（ＤＥＣ）とエチレンカーボネート（ＥＣ）との混合溶媒（例えば体積比でＤＥＣ：ＥＣが１：９〜９：１の範囲内であり得る。）のような非水電解質（電解液）を注入して封止することによって単電池１２が構築される。
【００５３】
図１に示すように、上記のようにして構築した同形状の複数の単電池１２は、それぞれの正極端子１５及び負極端子１６が交互に配置されるように一つづつ反転させつつ、容器１４の幅広な面（即ち容器１４内に収容される後述する捲回電極体３０の扁平面に対応する面）が対向する方向に配列されている。当該配列する単電池１２間ならびに単電池配列方向（積層方向）の両アウトサイドには、所定形状の冷却板１１が容器１４の幅広面に密接した状態で配置されている。この冷却板１１は、使用時に各単電池内で発生する熱を効率よく放散させるための放熱部材として機能するものであって、好ましくは単電池１２間に冷却用流体（典型的には空気）を導入可能なフレーム形状を有する。或いは熱伝導性の良い金属製もしくは軽量で硬質なポリプロピレンその他の合成樹脂製の冷却板１１が好適である。
【００５４】
上記配列させた単電池１２及び冷却板１１（以下、これらを総称して「単電池群」ともいう。）の両アウトサイドに配置された冷却板１１のさらに外側には、一対のエンドプレート１８，１９が配置されている。また、上記単電池群の一方（図２の右端）のアウトサイドに配置された冷却板１１とエンドプレート１８との間には、長さ調整手段としてのシート状スペーサ部材４０を一枚又は複数枚挟み込んでいてもよい。なお、スペーサ部材４０の構成材質は特に限定されず、後述する厚み調整機能を発揮し得るものであれば種々の材料（金属材料、樹脂材料、セラミック材料等）を使用可能である。衝撃に対する耐久性等の観点から金属材料または樹脂材料の使用が好ましく、例えば軽量なポリオレフィン樹脂性のスペーサ部材４０を好ましく使用することができる。
【００５５】
そして、このように単電池１２の積層方向に配列された単電池群、スペーサ部材４０及びエンドプレート１８，１９の全体が、両エンドプレート１８，１９を架橋するように取り付けられた締め付け用の拘束バンド２１によって、該積層方向に所定の拘束圧Ｐで拘束されている。より詳しくは、図１に示すように、拘束バンド２１の端部をビス２２によりエンドプレート１８に締め付け且つ固定することによって、単電池群がその配列方向に所定の拘束圧Ｐ（例えば容器１４の壁面が受ける面圧が０．１ＭＰａ〜１０ＭＰａ程度）が加わるように拘束されている。かかる拘束圧Ｐで拘束された組電池１０では、各単電池１２の容器１４の内部の捲回電極体３０にも拘束圧がかかり、容器１４内で発生したガスが、捲回電極体３０内部（例えば正極シート３２と負極シート３４との間）に貯留して電池性能が低下することを防止することができる。
【００５６】
以下、具体的ないくつかの実施例として、ここで開示される製造方法によって製造された粒状負極活物質（ケイ素酸化物）を備える負極を使用してリチウム二次電池（サンプル電池）を構築し、その性能評価を行った。
【００５７】
＜性能評価試験：１＞
（サンプル１−１の調製）
炭素源としてのポリビニルアルコール（ＰＶＡ）１２ｇを第１の溶媒としての純水２２５ｍＬに添加し、超音波をかけながらスターラーを用いて１時間攪拌し、炭素源供給材料を調製した。
また、市販の一酸化ケイ素粉末（ＳｉＯ：シグマ・アルドリッチ社製品）とカーボンブラック（ＣＢ）粉末を、質量比でＳｉＯ：ＣＢ＝１０：１となるように遊星ボールミルに入れ、２５０ｒｐｍで３時間の粉砕・混合処理を行った。
上記ボールミル処理により平均粒子径（光散乱法に基づくメジアン径：ｄ５０）が約４００ｎｍである一酸化ケイ素を含む粉末材料を、一酸化ケイ素質量が１２ｇとなる量を秤量し、７５ｍＬのエタノールに添加した。そして、超音波をかけながらスターラーを用いて１時間攪拌し、一酸化ケイ素が分散した状態の電極活物質供給材料を調製した。
次に、上記調製した電極活物質供給材料（第２の溶媒：エタノール）を、超音波をかけながらスターラーで攪拌しつつ上記調製した炭素源供給材料（第１の溶媒：純水）に添加した。
次いで得られた混合材料、即ち各１２ｇのＳｉＯとＰＶＡとを含み、純水２２５ｍＬとエタノール７５ｍＬとの混合溶媒（体積比で水：エタノール＝３：１）から成る混合材料について９０℃で１２時間の還流処理を行った。これにより、サンプル１−１の混合材料を得た。この混合材料の一部を採取し、光学顕微鏡観察に基づいてＳｉＯの平均粒子径を算出した。結果を表１の該当欄に示す。
【００５８】
（サンプル１−２の調製）
ＰＶＡ１２ｇを純水１５０ｍＬに添加し、超音波をかけながらスターラーを用いて１時間攪拌し、炭素源供給材料を調製した。
上記ボールミル処理後の一酸化ケイ素を含む粉末材料を、一酸化ケイ素質量が１２ｇとなる量を秤量し、１５０ｍＬのエタノールに添加した。そして、超音波をかけながらスターラーを用いて１時間攪拌して電極活物質供給材料を調製した。
以後はサンプル１−１の調製と同様の手順により、サンプル１−２の混合材料（即ち各１２ｇのＳｉＯとＰＶＡとを含み、純水１５０ｍＬとエタノール１５０ｍＬとの混合溶媒（体積比で水：エタノール＝１：１）から成る混合材料）を得た。この混合材料の一部を採取し、サンプル１−１と同様にＳｉＯの平均粒子径を算出した。結果を表１の該当欄に示す。
【００５９】
（サンプル１−３の調製）
ＰＶＡ１２ｇを純水７５ｍＬに添加し、超音波をかけながらスターラーを用いて１時間攪拌し、炭素源供給材料を調製した。
上記ボールミル処理後の一酸化ケイ素を含む粉末材料を、一酸化ケイ素質量が１２ｇとなる量を秤量し、２２５ｍＬのエタノールに添加した。そして、超音波をかけながらスターラーを用いて１時間攪拌して電極活物質供給材料を調製した。
以後はサンプル１−１の調製と同様の手順により、サンプル１−３の混合材料（即ち各１２ｇのＳｉＯとＰＶＡを含み、純水７５ｍＬとエタノール２２５ｍＬとの混合溶媒（体積比で水：エタノール＝１：３）から成る混合材料）を得た。この混合材料の一部を採取し、サンプル１−１と同様にＳｉＯの平均粒子径を算出した。結果を表１の該当欄に示す。
【００６０】
（サンプル１−４の調製）
ＰＶＡ１２ｇを純水３００ｍＬに添加し、超音波をかけながらスターラーを用いて１時間攪拌し、炭素源供給材料を調製した。
上記ボールミル処理後の一酸化ケイ素を含む粉末材料を、一酸化ケイ素質量が１２ｇとなる量を秤量し、上記炭素源供給材料に添加した。そして、超音波をかけながらスターラーを用いて１時間攪拌した。
以後はサンプル１−１の調製と同様の手順により、サンプル１−４の混合材料（即ち各１２ｇのＳｉＯとＰＶＡを純水３００ｍＬに混合してなる混合材料）を得た。この混合材料の一部を採取し、サンプル１−１と同様にＳｉＯの平均粒子径を算出した。結果を表１の該当欄に示す。
【００６１】
（サンプル１−５の調製）
上記ボールミル処理後の一酸化ケイ素を含む粉末材料を、一酸化ケイ素質量が１２ｇとなる量を秤量し、３００ｍＬのエタノールに添加した。そして、超音波をかけながらスターラーを用いて１時間攪拌して電極活物質供給材料を調製した。
次いでＰＶＡ１２ｇを上記電極活物質供給材料に添加した。そして、超音波をかけながらスターラーを用いて１時間攪拌した。
以後はサンプル１−１の調製と同様の手順により、サンプル１−５の混合材料（即ち各１２ｇのＳｉＯとＰＶＡをエタノール３００ｍＬに混合してなる混合材料）を得た。この混合材料では、ＰＶＡが溶解せずに析出したままであったので平均粒子径を算出しなかった。
【００６２】
【表１】
0005553180.tif 000002
【００６３】
表１に示すＳｉＯの平均粒子径の結果から明らかなように、サンプル１−２の混合材料では、特に良好なＳｉＯの分散性を示した。即ち、第２の溶媒であるエタノール（貧溶媒）の含有率と第１の溶媒である水との混合比率（ＥｔＯＨ：Ｈ２Ｏ）を概ね１：２〜２：１（より好ましくは１：１．５〜１．５：１ここでは概ね１：１）とすることにより、電極活物質粒子相互の凝集を低減し得ることが確認された。水の混合比率が高い場合（例えばサンプル１−１やサンプル１−４）では、ＳｉＯの分散性は低下した。また、反対にエタノール等の貧溶媒の混合比率が高い場合（例えばサンプル１−３やサンプル１−５）では、ＰＶＡの溶解が困難で溶液中に析出する傾向になりＳｉＯの分散性も低くなった。
【００６４】
（評価用セルの構築ならびに電気化学特性評価）
上記サンプル１−１〜１−５を用いて、それぞれ、評価用セルを作製した。具体的には、以下のとおりである。
即ち、上記混合材料（各サンプル）をロータリーエバポレータを用いて乾燥させ、次いで得られた炭素源とＳｉＯとの混合物を焼成した。焼成条件は、アルゴンガス雰囲気中において最高焼成温度を約１０００℃に設定し、当該温度で約６時間の焼成を行った。なお、試料を２００℃〜３００℃の温度域で予め１〜５時間程度の仮焼成を行った後に最高焼成温度まで昇温した。これによりＰＶＡの不要なヒドロキシ基を消失させることができる。
【００６５】
こうして得られた焼成処理後のサンプルを解砕し、１００メッシュの篩で分級して試験用電極活物質を得た。得られた１００メッシュアンダーの電極活物質を用いて試験用電極を作製した。即ち、上記活物質と、平均粒子径１３μｍの黒鉛粒子と、ＰＶＤＦとを、これらの質量比が８５：１０：５となるようにＮ−メチルピロリドンと混合して、スラリー状組成物（ペースト）を調製した。この組成物を厚み１０μｍの銅箔（日本製箔製）に塗布して乾燥させることにより、該銅箔の片面に厚み２５μｍの活物質層を形成した。これを銅箔と活物質層とを含む全体の電極密度が１．２ｍｇ／ｃｍ２となるようにプレスし、次いで直径１６ｍｍの円形に打ち抜いて試験用電極を作製した。
【００６６】
対極としては直径１５ｍｍ、厚み０．１５ｍｍの金属リチウム箔を使用した。セパレータとしては、直径２２ｍｍ、厚み０．０２ｍｍの多孔質ポリオレフィンシートを使用した。電解液としては、エチレンカーボネート（ＥＣ）とジエチルカーボネート（ＤＥＣ）との体積比３：７の混合溶媒に、リチウム塩としてのＬｉＰＦ６を約１モル／Ｌの濃度で溶解させたものを使用した。
これらの構成要素をステンレス製容器に組み込んで、厚み２ｍｍ、直径３２ｍｍ（いわゆる２０３２型）の一般的形状の評価用コインセルを構築した。
【００６７】
上記サンプル毎（即ち各サンプルに対応する電極活物質毎）に作製した各コインセルに対し、０．２Ｃ（１Ｃ即ち１時間で満充放電できる電流値の０．２倍の電流値）の定電流にて極間電圧が０．０１Ｖとなるまで試験用電極にＬｉを吸蔵させる操作と、０．２Ｃの定電流にて極間電圧が１．２ＶとなるまでＬｉを放出させる操作とを計５０回繰り返した。而して、１回目のＬｉ吸蔵容量（放電容量）に対する５０回目のＬｉ放出容量（放電容量）の割合を容量維持率（％）として測定した。
具体的には次式：（５０回目のＬｉ放出容量）／（１回目のＬｉ吸蔵容量）×１００より求めた。結果を表２に示す。
表２から明らかなように、ここで開示された製造方法により製造されたサンプル１−１〜１−３の電極活物質を採用した評価用セル（実際には当該電極活物質を負極活物質として使用したリチウム二次電池）は高い容量維持率を実現することができる。特に、第２の溶媒であるエタノール（貧溶媒）の含有率と第１の溶媒である水との混合比率（ＥｔＯＨ：Ｈ２Ｏ）を概ね１：２〜２：１（より好ましくは１：１．５〜１．５：１ここでは概ね１：１）として調製したサンプル１−２の電極活物質を採用した評価用セルにおいて高い容量維持率が認められた。
【００６８】
【表２】
0005553180.tif 000003
【００６９】
＜性能評価試験：２＞
（サンプル２−１の調製）
炭素源としてのポリビニルアルコール（ＰＶＡ）０．５ｇを第１の溶媒としての純水１５０ｍＬに添加し、超音波をかけながらスターラーを用いて１時間攪拌し、炭素源供給材料を調製した。
また、市販の一酸化ケイ素粉末（ＳｉＯ：シグマ・アルドリッチ社製品）とカーボンブラック（ＣＢ）粉末を、質量比でＳｉＯ：ＣＢ＝１０：１となるように遊星ボールミルに入れ、２５０ｒｐｍで３時間の粉砕・混合処理を行った。
上記ボールミル処理により平均粒子径（光散乱法に基づくメジアン径：ｄ５０）が約４００ｎｍである一酸化ケイ素を含む粉末材料を、一酸化ケイ素質量が５ｇとなる量を秤量し、１５０ｍＬのエタノールに添加した。そして、超音波をかけながらスターラーを用いて１時間攪拌し、一酸化ケイ素が分散した状態の電極活物質供給材料を調製した。
次に、上記調製した電極活物質供給材料（第２の溶媒：エタノール）を、超音波をかけながらスターラーで攪拌しつつ上記調製した炭素源供給材料（第１の溶媒：純水）に添加した。
次いで得られた混合材料、即ち５ｇのＳｉＯと０．５ｇのＰＶＡを含み、純水１５０ｍＬとエタノール１５０ｍＬとの混合溶媒（体積比で水：エタノール＝１：１）から成る混合材料について９０℃で１２時間の還流処理を行った。これにより、サンプル２−１の混合材料を得た。該混合材料中のＳｉＯの分散状態を調べるため、該混合材料の一部を採取して電子顕微鏡（ＳＥＭ）での観察を行い、近接するＳｉＯ間の距離を目測で確認した。結果を表３の該当欄に示す。
【００７０】
（サンプル２−２の調製）
ＰＶＡ０．５ｇを純水１５０ｍＬに添加し、超音波をかけながらスターラーを用いて１時間攪拌し、炭素源供給材料を調製した。
上記ボールミル処理後の一酸化ケイ素を含む粉末材料を、一酸化ケイ素質量が５ｇとなる量を秤量し、１５０ｍＬの純水に添加した。そして、超音波をかけながらスターラーを用いて１時間攪拌して電極活物質供給材料を調製した。
以後はサンプル２−１の調製と同様の手順により、サンプル２−２の混合材料、即ち５ｇのＳｉＯと０．５ｇのＰＶＡを含み、純水３００ｍＬの溶媒から成る混合材料を得た。この混合材料の一部を採取し、サンプル２−１と同様にＳＥＭ観察を行った。結果を表３の該当欄に示す。
【００７１】
【表３】
0005553180.tif 000004
【００７２】
表３に示すように、ここで開示される製造方法により製造された混合材料では良好なＳｉＯ粒子(一次粒子)の分散が認められる一方、純水に炭素源とＳｉＯの両方を添加した混合材料では、ＳｉＯ同士が顕著に凝集してしまい、分散性に問題があった。
【００７３】
（評価用セルの構築ならびに電気化学特性評価）
上記性能評価試験１と同様に、上記サンプル２−１〜２−２を用いて、それぞれ、評価用セル（２０３２型コインセル）を構築した。
各コインセルに対し、上記性能評価試験１と同様に０．２Ｃの定電流にて極間電圧が０．０１Ｖとなるまで試験用電極にＬｉを吸蔵させる操作と、０．２Ｃの定電流にて極間電圧が１．２ＶとなるまでＬｉを放出させる操作とを計２０回繰り返し、１回目のＬｉ吸蔵容量（放電容量）に対する２０回目のＬｉ放出容量（放電容量）の割合を容量維持率（％）として測定した。結果を表３に示す。
表３から明らかなように、ここで開示された製造方法により製造されたサンプル２−１はＳｉＯの分散性が良好であり、該サンプルの電極活物質を採用した評価用セル（実際には当該電極活物質を負極活物質として使用したリチウム二次電池）は高い容量維持率を実現することができた。
【００７４】
＜性能評価試験：３＞
（サンプル３−１の調製）
炭素源としてのポリビニルアルコール（ＰＶＡ）０．５ｇを第１の溶媒としての純水１５０ｍＬに添加し、超音波をかけながらスターラーを用いて１時間攪拌し、炭素源供給材料を調製した。
また、市販の一酸化ケイ素粉末（ＳｉＯ：シグマ・アルドリッチ社製品）とカーボンブラック（ＣＢ）粉末を、質量比でＳｉＯ：ＣＢ＝１０：１となるように遊星ボールミルに入れ、２５０ｒｐｍで３時間の粉砕・混合処理を行った。
上記ボールミル処理により平均粒子径（光散乱法に基づくメジアン径：ｄ５０）が約４００ｎｍである一酸化ケイ素を含む粉末材料を、一酸化ケイ素質量が５ｇとなる量を秤量し、１５０ｍＬのエタノールに添加した。そして、超音波をかけながらスターラーを用いて１時間攪拌し、一酸化ケイ素が分散した状態の電極活物質供給材料を調製した。
次に、上記調製した電極活物質供給材料（第２の溶媒：エタノール）を、超音波をかけながらスターラーで攪拌しつつ上記調製した炭素源供給材料（第１の溶媒：純水）に添加した。
次いで得られた混合材料、即ち５ｇのＳｉＯと０．５ｇのＰＶＡを含み、純水１５０ｍＬとエタノール１５０ｍＬとの混合溶媒（体積比で水：エタノール＝１：１）から成る混合材料について９０℃で１２時間の還流処理を行った。
【００７５】
上記還流処理後の混合材料（約３００ｍＬ）を第３の溶媒としてのアセトン３００ｍＬ中に入れた。アセトンはＰＶＡに関する貧溶媒であり、アセトン中でＳｉＯとＰＶＡを含む球形状の微細な会合体が生成された。
次いで、遠心分離機を用いて上記球状会合体を回収した。これにより、上記会合体（即ちＳｉＯとＰＶＡを含む混合物）からなるサンプル３−１の混合材料を得た。
得られたサンプルのうち１５０ｍＬを量り取り、遠心分離用チューブに入れて遠心分離機にセットし、２０００ｒｐｍで２分間の遠心分離処理を行った。その後、上記チューブ内からＳｉＯとＰＶＡを含む層（以下「ＳｉＯ−ＰＶＡ層」という。）を分離するとともに、過剰なＰＶＡのみからなるＰＶＡ粒子層の有無の確認と該ＰＶＡ粒子層が存在する場合にはその層厚み（ｎｍ）をデジタルノギスによって測定した。結果を表４の該当欄ならびに図８に示す。
【００７６】
（サンプル３−２の調製）
ＰＶＡ５ｇを純水１５０ｍＬに添加して炭素源供給材料を調製した以外は、サンプル３−１の調製プロセスと同様の手順（即ち混合材料調製→還流処理→アセトン処理→遠心分離処理）によって、上記会合体（即ちＳｉＯとＰＶＡを含む混合物）からなるサンプル３−２の混合材料を得た。そして、サンプル３−１の場合と同様の処理を行い、上記ＰＶＡ粒子層の有無の確認と該ＰＶＡ粒子層が存在する場合にはその層厚み（ｎｍ）をデジタルノギスによって測定した。結果を表４の該当欄ならびに図８に示す。
【００７７】
（サンプル３−３の調製）
ＰＶＡ５ｇを純水１５０ｍＬに添加して炭素源供給材料を調製し、且つ、上記ボールミル処理後の一酸化ケイ素を含む粉末材料を、一酸化ケイ素質量が１ｇとなる量を秤量して１５０ｍＬのエタノールに添加して電極活物質供給材料を調製した以外は、サンプル３−１の調製プロセスと同様の手順によって、上記会合体（即ちＳｉＯとＰＶＡを含む混合物）からなるサンプル３−３の混合材料を得た。そして、サンプル３−１および３−２の場合と同様の処理を行い、上記ＰＶＡ粒子層の有無の確認と該ＰＶＡ粒子層が存在する場合にはその層厚み（ｎｍ）をデジタルノギスによって測定した。結果を表４の該当欄ならびに図８に示す。
【００７８】
（サンプル３−４の調製）
ＰＶＡ１２ｇを純水１５０ｍＬに添加して炭素源供給材料を調製し、且つ、上記ボールミル処理後の一酸化ケイ素を含む粉末材料を、一酸化ケイ素質量が１．２ｇとなる量を秤量して１５０ｍＬのエタノールに添加して電極活物質供給材料を調製した以外は、サンプル３−１の調製プロセスと同様の手順によって、上記会合体（即ちＳｉＯとＰＶＡを含む混合物）からなるサンプル３−４の混合材料を得た。そして、サンプル３−１〜３の場合と同様の処理を行い、上記ＰＶＡ粒子層の有無の確認と該ＰＶＡ粒子層が存在する場合にはその層厚み（ｎｍ）をデジタルノギスによって測定した。結果を表４の該当欄ならびに図８に示す。
【００７９】
（サンプル３−５の調製）
ＰＶＡ１２ｇを純水１５０ｍＬに添加して炭素源供給材料を調製し、且つ、上記ボールミル処理後の一酸化ケイ素を含む粉末材料を、一酸化ケイ素質量が０．８ｇとなる量を秤量して１５０ｍＬのエタノールに添加して電極活物質供給材料を調製した以外は、サンプル３−１の調製プロセスと同様の手順によって、上記会合体（即ちＳｉＯとＰＶＡを含む混合物）からなるサンプル３−５の混合材料を得た。そして、サンプル３−１〜４の場合と同様の処理を行い、上記ＰＶＡ粒子層の有無の確認と該ＰＶＡ粒子層が存在する場合にはその層厚み（ｎｍ）をデジタルノギスによって測定した。結果を表４の該当欄ならびに図８に示す。
【００８０】
（サンプル３−６の調製）
上記サンプル３−１の調製に使用したものと同じ炭素源供給材料と電極活物質調製材料とを使用し、サンプル３−１の調製プロセスと同様の手順によって上記還流処理まで行った後に、上記アセトンを使用した会合体形成処理を行うことなく、還流処理後の混合材料から吸引濾過によりＳｉＯとＰＶＡの混合物（サンプル３−６）を回収した。そして、サンプル３−１〜５の場合と同様の処理を行い、上記ＰＶＡ粒子層の有無の確認と該ＰＶＡ粒子層が存在する場合にはその層厚み（ｎｍ）をデジタルノギスによって測定した。結果を表４の該当欄ならびに図８に示す。
【００８１】
【表４】
0005553180.tif 000005
【００８２】
（評価用セルの構築ならびに電気化学特性評価）
上記性能評価試験１と同様に、上記サンプル３−１〜３−６を用いて、それぞれ、評価用セル（２０３２型コインセル）を構築した。
そして、各コインセルに対して０．１Ｃの定電流にて極間電圧が０．０１Ｖとなるまで試験用電極にＬｉを吸蔵させ、その後１．２ＶとなるまでＬｉを放出させる操作を行った。このときのＬｉ脱離容量を活物質の質量で割った値を活物質容量（ｍＡｈ／ｇ）とした。結果を表４ならびに図８に示す。
【００８３】
表４及び図８に示すように、各サンプルの電極活物質を採用した評価用セルでは何れも良好な活物質容量を有していたが、炭素源（ＰＶＡ）と電極活物質（ＳｉＯ）との混合比（ＰＶＡ：ＳｉＯ）が０．１：１〜１０：１の範囲であるとＰＶＡ粒子の存在量（即ちＰＶＡの過剰量を反映する。）も比較的少なく、特に良好な活物質容量（８５０ｍＡｈ／ｇ以上、特に９００〜１２００ｍＡｈ／ｇ）を示した。特に混合比（ＰＶＡ：ＳｉＯ）を１：１〜５：１の範囲にすることにより、１０００ｍＡｈ／ｇ以上（例えば１１００〜１２００ｍＡｈ／ｇ）というたいへん良好な活物質容量が得られた。
【００８４】
以上、本発明を好適な実施形態により説明してきたが、こうした記述は限定事項ではなく、勿論、種々の改変が可能である。
ここに開示されるいずれかのリチウム二次電池１２および組電池１０は、車両に搭載される電池として適した性能、特に容量維持率が高く耐久性に優れたものであり得る。また、電極活物質としてＳｉＯｘ等の金属酸化物を採用することにより高容量化を実現することができる。
したがって本発明によると、図４に示すように、ここに開示されるいずれかのリチウム二次電池１２（組電池１０）を備えた車両１が提供される。特に、該リチウム二次電池１２を動力源（典型的には、ハイブリッド車両または電気車両の動力源）として備える車両（例えば自動車）が提供される。
【産業上の利用可能性】
【００８５】
ここで開示される製造方法によると、容量維持率（即ちサイクル特性）に優れ、高容量化を実現し得る電極活物質を提供することができる。従って、かかる電極活物質を利用することによって、高容量で耐久性のよいリチウム二次電池等の二次電池を提供することができる。このような特徴からここで開示される製造方法により製造される電極活物質を採用することにより、例えば車両を駆動する電源として利用される車載用二次電池（特には車載用リチウム二次電池）を提供することができる。
【図１】
0005553180.tif 000006
【図２】
0005553180.tif 000007
【図３】
0005553180.tif 000008
【図４】
0005553180.tif 000009
【図５】
0005553180.tif 000010
【図６】
0005553180.tif 000011
【図７】
0005553180.tif 000012
【図８】
0005553180.tif 000013